(57)【要約】【課題】  ＬＧＡパッケージの光変調器と制御部との電気的接続を良好に維持することができる。【解決手段】  ソケット１０２は、反射型表示素子１０１を電気的に接続した状態で収納固定し、回路基板１０４は、ソケット１０２の背後に配置され、ソケット１０２の第二コンタクト１０２ｇと電気的に接続されるランド１０４ａを有し、ベース板１０６は、回路基板１０４の背後に配置され、ソケット１０２と回路基板１０４とを狭持し、ベース板１０６と回路基板１０４との間にクッション材１０５を配置する。【選択図】図２
2015125372.tif 000002
【特許請求の範囲】
【請求項１】
光変調器と、
前記光変調器を電気的に接続した状態で収納固定し、背面側に電極を有するソケットと、
前記ソケットを表面側から保持する取付板と、
前記ソケットの背後に配置され、前記ソケットの前記電極と電気的に接続されるランドを有する回路基板と、
前記回路基板の背後に配置されるベース板と、
前記ベース板と前記回路基板との間に配置されるクッション材と、を備える、
ことを特徴とする光変調器モジュール。
【請求項２】
前記クッション材は、前記ソケットの前記電極と前記回路基板の前記ランドとが接触する接触領域を覆うように配置される、
ことを特徴とする請求項１に記載の光変調器モジュール。
【発明の詳細な説明】
【技術分野】
【０００１】
本発明は、ＬＧＡ（Ｌａｎｄ  Ｇｒｉｄ  Ａｒｒａｙ）パッケージ構造の光変調器を回路基板と共にモジュール化した光変調器モジュールに関する。
【背景技術】
【０００２】
従来、ＬＧＡパッケージのＤＭＤ（登録商標：Ｄｉｇｉｔａｌ  Ｍｉｃｒｏｍｉｒｒｏｒ  Ｄｅｖｉｃｅ）などの光変調器は、凹状のケース部、このケース部の凹状の底面に二次元的に配列された複数の変調器側コンタクト、ケース部の背面に設けられた制御側コンタクト、を有するソケットに取り付けられる。そして、ソケットは、制御側コンタクトを、制御部に接続された回路基板のランド部に押さえつけた状態で、回路基板の背面側（ソケットと接触しない側）からベース部材が押止する。ベース部材には複数の貫通穴が形成されており、この貫通穴にボルトの軸部が挿通され、ボルトによりケース体に固定される。
【先行技術文献】
【特許文献】
【０００３】
【特許文献１】特開２００６−１２７８０４号公報
【発明の概要】
【発明が解決しようとする課題】
【０００４】
しかしながら、光変調器モジュールがボルトによってケース体に強固に固定されているため、表示装置の使用状況によって発生する熱でケース体が熱変形した場合、回路基板とソケットとの間に微小な隙間が発生し、回路基板のランド部とソケットの制御側コンタクトとの接触に影響を与えるおそれがあった。
【０００５】
また、ケース体の取付面と、回路基板の当接面とに、寸法誤差などのばらつきがあった場合、ボルトの締め付け応力によって、回路基板のランド部とソケットの制御側コンタクトとの接触に影響を与えるおそれがあった。
【０００６】
本発明は上記問題を鑑みてなされたものであり、ＬＧＡパッケージの光変調器と制御部との電気的接続を良好に維持することが可能な光変調器モジュールを提供することを目的とする。
【課題を解決するための手段】
【０００７】
上記目的を達成するため、本発明に係る反射型表示モジュールは、反射型表示素子と、前記反射型表示素子を電気的に接続した状態で収納固定し、背面側に電極を有するソケットと、前記ソケットを表面側から保持する取付板と、前記ソケットの背後に配置され、前記ソケットの前記電極と電気的に接続されるランドを有する回路基板と、前記回路基板の背後に配置されるベース板と、前記ベース板と前記回路基板との間に配置されるクッション材と、を備えるものである。
【発明の効果】
【０００８】
本発明によれば、ＬＧＡパッケージの光変調器と制御部との電気的接続を良好に維持することが可能な光変調器モジュールを提供することができる。
【図面の簡単な説明】
【０００９】
【図１】本発明の実施形態における表示装置の構成を説明する図である。
【図２】上記実施形態における反射型表示モジュールの概略断面図である。
【発明を実施するための形態】
【００１０】
以下、本発明の実施形態の光変調モジュールについて、図を参照して説明する。図１は、本実施形態の反射型表示モジュール（光変調モジュール）１００を取り付けた表示装置１の構成を示す図である。このような表示装置１は、図１に示すように、照明光Ｋを出射する光源１０と、光源１０から照明光Ｋを取り込み、反射型表示モジュール１００により生成した表示画像Ｍを示す画像光Ｌを平面鏡３０に向けて出射するリレー光学ユニット２０と、リレー光学ユニット２０から出射された画像光Ｌを透過型スクリーン４０の背面へ反射する平面鏡３０と、平面鏡３０により反射された画像光Ｌを背面で入射し、表面側に表示画像Ｍを表示する透過型スクリーン４０と、これら光源１０、リレー光学ユニット２０、平面鏡３０、透過型スクリーン４０、及び反射型表示モジュール１００を内部に収容し、一部に透過型スクリーン４０が表示する表示画像Ｍを外部に透過する透過部５０ａを有する筐体５０と、を備える。また、表示装置１は、図示しない制御部を、筐体５０の内部または外部に備え、この制御部は、図示しない配線が光源１０や反射型表示モジュール１００に接続されている。制御部は、光源１０が出射する照明光Ｋの光強度やタイミングを制御し、また、反射型表示モジュール１００（反射型表示素子１０１）を制御することで所望の表示画像Ｍを表示させるものである。
【００１１】
光源１０は、例えば、赤色，青色，緑色の光をそれぞれ出力可能な複数のＬＥＤを有し、制御部からの制御のもと、所望の色，光強度，タイミングで照明光Ｋを出射する。また、本実施形態における表示装置１は、フィールドシーケンシャルカラー（Field Sequential Color）駆動方式を採用しており、光源１０の各色のＬＥＤが時分割的に照明光Ｋを出射する。
【００１２】
リレー光学ユニット２０は、ミラー部２１、プリズム２２、投射レンズ２３、及びこれらを収納するケース体２４とから構成される。
【００１３】
ミラー部２１は、ガラス基材に赤色、緑色、青色の照明光Ｋを反射する特性を持った薄膜がコーティングされたものであって、光源１０からの照明光Ｋを反射によって反射型表示モジュール１００へ適正な角度で入射させるものである。プリズム２２は、ミラー部２１が反射した照明光Ｋを透過させて後述する光変調器１０１に照射させる。光変調器１０１によって生成された画像光Ｌは、プリズム２２の傾斜面によって、投射レンズ２３に向けて反射される。投射レンズ２３は、画像光Ｌを拡大し、平面鏡３０に投射する。
【００１４】
平面鏡３０は、例えば合成樹脂材料からなる基材の表面に、蒸着等の手段により反射膜を形成したものであり、光変調器１０１が出射した表示画像Ｍの画像光Ｌを、透過型スクリーン４０に向けて反射させるものである。
【００１５】
透過型スクリーン４０は、平面鏡３０からの画像光Ｌを背面で受光し、透過させることで、表面側に表示画像Ｍを表示するものであり、例えば、ホログラフィックディフューザ、マイクロレンズアレイ、拡散板等によって構成される。透過型スクリーン４０の表面に表示された表示画像Ｍは、筐体５０の透過部５０ａから透過する。
【００１６】
これより、図２を用いて、反射型表示モジュール１００の構成、及び反射型表示モジュール１００のケース体２４への取り付け方法を説明する。図２は、ケース体２４へ取り付けられた反射型表示モジュール１００の断面図である。反射型表示モジュール１００は、反射型表示素子（光変調器）１０１と、ソケット１０２と、取付板１０３と、回路基板１０４と、クッション材１０５と、ベース板１０６と、押止ねじ１０７と、を備え、組み付けられた反射型表示モジュール１００は、取付ねじ２００により、ケース体２４に固定される。
【００１７】
反射型表示素子（光変調器）１０１は、例えば、ＤＭＤやＬＣＯＳ（登録商標：Ｌｉｑｕｉｄ  Ｃｒｙｓｔａｌ  Ｏｎ  Ｓｉｌｉｃｏｎ）などの反射型の表示デバイスであり、反射面の背面側に複数のランド１０１ａを二次元的に配列したＬＧＡパッケージ構造を有し、この複数のランド１０１ａが後述するソケット１０２の第一コンタクト１０２ｄに電気的に接続されるようにソケット１０２に収納固定される。また、これら複数のランド１０１ａは、反射型表示素子１０１の中央領域を除く領域に配置され、中央領域には、反射型表示素子１０１の熱を放出するために矩形状の放熱ランド１０１ｂが配置される。
【００１８】
ソケット１０２は、絶縁性の樹脂により略中央部に反射型表示素子１０１を収納可能に凹状に形成されており、該凹状の底面１０２ａは中央領域に矩形状の貫通した開口部１０２ｂを有する平面になっている。該底面１０２ａには開口部１０２ｂを取り囲むように複数の第一孔部１０２ｃが形成されており、複数の第一孔部１０２ｃには、導電性の第一コンタクト１０２ｄが幾分突出するように収納されている。また、ソケット１０２の背面１０２ｅには、同じく開口部１０２ｂを取り囲むように複数の第二孔部１０２ｆが形成されており、これら複数の第二孔部１０２ｆには、複数の第一コンタクト１０２ｄにそれぞれ電気的に接続された複数の第二コンタクト１０２ｇが幾分突出するように収納されている。第一コンタクト１０２ｄは、反射型表示素子１０１のＬＧＡパッケージのランド１０１ａと接触し、これら第一コンタクト１０２ｄにそれぞれ電気的に接続された複数の第二コンタクト１０２ｇが、回路基板１０４のランド１０４ａに接触する。
また、ソケット１０２は、突起１０２ｈを有し、この突起１０２ｈが、後述する取付板１０３の取付穴１０３ｂに挿入されることで、反射型表示素子１０１を収納したソケット１０２が取付板１０３に位置決めされる。
【００１９】
取付板１０３は、反射型表示素子１０１に入射する照明光Ｋ、及び反射型表示素子１０１が反射した画像光Ｌが通過する表示孔１０３ａと、ソケット１０２の突起１０２ｈが挿入される突起挿入孔１０３ｂと、後述する取付ねじ２００が挿通する貫通孔１０３ｃと、後述する回路基板１０４，クッション材１０５，ベース板１０６を位置決めする突起１０３ｄと、を有し、反射型表示モジュール１００をケース体２４に取り付けた際にケース体２４に接触する部材である。
【００２０】
回路基板１０４は、硬質の基材で形成され、ソケット１０２の複数の第二コンタクト１０２ｇに接触するように複数のランド１０４ａが形成されており、中央領域には、矩形状の開口部１０４ｂが形成され、さらに、取付板１０３の突起１０３ｄが挿入する位置決め孔１０４ｃが形成されている。回路基板１０４は、図示しない配線により制御部と接続され、制御部からの電気信号や電力を、ランド１０４ａを介して反射型表示素子１０１に供給する。なお、回路基板１０４は、後述するベース板１０６が取付板１０３に固定されることによって保持される。
【００２１】
クッション材１０５は、例えば、ウレタンなどの弾性部材からなり、ソケット１０２の第二コンタクト１０２ｇと回路基板１０４のランド１０４ａとが接触する接触領域を覆う形状に形成され、中央領域には、矩形状の開口部１０５ａと、取付板１０３の突起１０３ｄが挿入する位置決め孔１０５ｂが形成されている。クッション材１０５は、回路基板１０４と後述するベース板１０６との間に配置され、ベース板１０６が取付板１０３に押止ねじ１０７でネジ止めされると、クッション材１０５が回路基板１０４と後述するベース板１０６との間で押し縮められ、元の形状に戻ろうとする弾性力により回路基板１０４をソケット１０２（第二コンタクト１０２ｇ）側へ押し付ける。斯かる構成により、回路基板１０４のランド１０４ａと、ソケット１０２の第二コンタクト１０２ｇとの接触を常に良好に保つことができる。
【００２２】
ベース板１０６は、クッション材１０５の背面側に配置される硬質の板状の部材であり、中央領域には、矩形状の開口部１０６ａと、取付板１０３の突起１０３ｄが挿入する位置決め孔１０６ｂと、後述する押止ねじ１０７が挿通する貫通孔１０６ｃと、を有し、位置決め孔１０６ｂに取付板１０３の突起１０３ｄを挿入し、貫通孔１０６ｃに後述する押止ねじ１０７を挿通し、取付板１０３にネジ止めすることで、反射型表示素子１０１を収納したソケット１０２と、回路基板１０４と、クッション材１０５とを取付板１０３側に押し付け固定することができる。
【００２３】
以下に、本実施形態における反射型表示モジュール１００の組み立て方法を簡潔に説明する。
（１）反射型表示素子１０１をソケット１０２に収納固定し、このソケット１０２を取付板１０３に固定する。（２）ソケット１０２の背面側に取付板１０３の突起１０３ｄを、回路基板１０４の位置決め孔１０４ｃ，クッション材１０５の位置決め孔１０５ｂ，ベース板１０６の位置決め孔１０６ｂに挿通させる。（３）ベース板１０６の背面側から押止ねじ１０７を用いて取付板１０３にネジ止めする。これにより、反射型表示モジュール１００が組み付けられる。さらに、この反射型表示モジュール１００の取付板１０３に設けられた貫通孔１０３ｃに取付ねじ２００を挿通し、ケース体２４にネジ止めすることで、反射型表示モジュール１００をケース体２４に固定することができる。
【００２４】
以上に説明したように、本実施形態における反射型表示モジュール１００は、反射型表示素子１０１と、この反射型表示素子１０１を電気的に接続した状態で収納固定するソケット１０２と、このソケット１０２を表面側から保持する取付板１０３と、ソケット１０２の背後に配置され、ソケット１０２の第二コンタクト１０２ｇと電気的に接続されるランド１０４ａを有する回路基板１０４と、回路基板１０４の背後に配置され、ソケット１０２と回路基板１０４とを狭持するベース板１０６と、ベース板１０６と回路基板１０４との間に配置されるクッション材１０５と、を備えることによって、ベース板１０６の取り付け時において、ベース板１０６がクッション材１０５を介して回路基板１０４を均一にソケット１０２に押し付けることが可能となり、回路基板１０４のランド１０４ａと、ソケット１０２の第二コンタクト１０２ｇとの接触を常に良好に保つことができ、ケース体２４の多少の変形が生じた場合であっても回路基板１０４とソケット１０２との電気的な接続を良好に維持することができる。また、クッション材１０５は、ソケット１０２の第二コンタクト１０２ｇと回路基板１０４のランド１０４ａとが接触する領域を覆うように配置されているため、回路基板１０４とソケット１０２との電気的な接続を良好に維持することができる。
【００２５】
なお、上記実施形態においては、ソケット１０２，回路基板１０４，クッション材１０５を、表面側に配置される取付板１０３と背面側に配置されるベース板１０６とにより狭持したが、これに限定されず、取付板１０３を省略して、ソケット１０２，回路基板１０４，クッション材１０５を、表面側に配置されるケース体２４と背面側に配置されるベース板１０６とにより狭持してもよい。
【００２６】
また、上記実施形態において、ベース板１０６を回路基板１０４側へ押し付け固定する手段として、押止ねじ１０７によるネジ止めとしていたが、フック止めなど公知の様々な係合手段を適用することができる。でるン材１０５２ｇ００、
【符号の説明】
【００２７】
１      表示装置
１０      光源
２０      リレー光学ユニット
２１      ミラー部
２２      プリズム
２３      投射レンズ
２４      ケース体
３０      平面鏡
４０      透過型スクリーン
５０      筐体
１００      反射型表示モジュール（光変調器モジュール）
１０１      反射型表示素子（光変調器）
１０２      ソケット
１０３      取付板
１０４      回路基板
１０５      クッション材
１０６      ベース板
１０７      押止ねじ
２００      取付ねじ
【図１】
2015125372.tif 000003
【図２】
2015125372.tif 000004